(57)【要約】【課題】湯の使用量を表示することにより、湯の無駄使いへの注意喚起を行い、湯切れを防止する貯湯式温水器を提供することを目的とする。【解決手段】操作部９で１日当たりの使用湯量表示状態が設定されると、表示部８は当日１日分の積算流量値と、前日１日分の積算流量値を表示することにより、湯の使用量を容易に把握することができ、無駄な湯の使用を防止することができる。【選択図】図１
2006112694.tif 000002
【特許請求の範囲】
【請求項１】
貯湯タンクと、前記貯湯タンクの上部に設けた出湯管と、前記貯湯タンクの下部に設けた給水管と、前記貯湯タンク内部の水を沸き上げる加熱部と、前記出湯管から出湯される湯の瞬時流量を検出する瞬時流量検出部と、前記瞬時流量検出部で検出される瞬時流量を積算する流量積算部と、前記流量積算部で積算される積算流量値を所定時間毎に記憶する記憶部と、所定の情報を表示する表示部と、前記表示部の表示内容を変更する操作部とを備え、前記操作部で１日当たりの使用湯量表示状態が設定されると、前記表示部は当日１日分の積算流量値と、前日１日分の積算流量値とを表示するようにした貯湯式温水器。
【請求項２】
表示部が当日１日分の積算流量値と、前日１日分の積算流量値とを表示することに代え、操作部で時間帯別の使用湯量表示状態が設定されると、表示部は当日内の１時間あたりの積算流量値を時刻別に表示する請求項１に記載の貯湯式温水器。
【請求項３】
時間帯別の使用湯量表示は、棒グラフ表示で表示する請求項２に記載の貯湯式温水器。
【請求項４】
瞬時流量検出部で所定流量以上を検出すると、表示部に当日１日分の積算流量値を表示し、前記瞬時流量検出部の検出流量が所定流量以下になっても所定時間が経過するまでは積算流量値の表示を継続する請求項１に記載の貯湯式温水器。
【発明の詳細な説明】
【技術分野】
【０００１】
本発明は、タンク内に貯湯した湯を給湯に利用する貯湯式温水器に関する。
【背景技術】
【０００２】
従来、この種の貯湯式温水器は、湯を貯湯する貯湯タンクと、貯湯タンク壁面に取り付けられた複数の温度センサで貯湯タンク内の残湯量を検出し、リモコン表示部に残湯量を表示している（例えば、特許文献１参照）。
【特許文献１】特開２００３−９０６１９号公報
【発明の開示】
【発明が解決しようとする課題】
【０００３】
しかしながら、前記従来の構成では、瞬間式給湯機と異なり、貯湯式温水器であるため貯湯タンク内の湯を使いきってしまうと湯が使用できなくなるので、無駄な湯の使用を控える必要がある。しかし、近年、生活スタイルの多様化により、湯の使用量が増加している。また、シングルレバー式混合水栓の普及により、無意識に湯を使用するケースも増え、湯切れするケースが増加している。
【０００４】
本発明は、前記従来の課題を解決するもので、湯の使用量を把握して無駄な湯の使用を防止する貯湯式温水器を提供することを目的とする。
【課題を解決するための手段】
【０００５】
前記従来の課題を解決するために、本発明の貯湯式温水器は、貯湯タンクと、前記貯湯タンクの上部に設けた出湯管と、前記貯湯タンクの下部に設けた給水管と、前記貯湯タンク内部の水を沸き上げる加熱部と、前記出湯管から出湯される湯の瞬時流量を検出する瞬時流量検出部と、前記瞬時流量検出部で検出される瞬時流量を積算する流量積算部と、前記流量積算部で積算される積算流量値を所定時間毎に記憶する記憶部と、所定の情報を表示する表示部と、前記表示部の表示内容を変更する操作部を備え、前記操作部で１日当たりの使用湯量表示状態が設定されると、前記表示部は当日１日分の積算流量値と、前日１日分の積算流量値を表示するようにしたものである。
【０００６】
これにより、表示部を確認することで、１日当たりの湯の使用量と前日１日の湯の使用量を把握することができるので、日々における湯の使用量削減の目安にすることができ、無駄な湯の使用を防止することができる。
【発明の効果】
【０００７】
本発明の貯湯式温水器は、表示部を確認することで、無駄な湯の使用を防止することができる。
【発明を実施するための最良の形態】
【０００８】
第１の発明は、貯湯タンクと、前記貯湯タンクの上部に設けた出湯管と、前記貯湯タンクの下部に設けた給水管と、前記貯湯タンク内部の水を沸き上げる加熱部と、前記出湯管から出湯される湯の瞬時流量を検出する瞬時流量検出部と、前記瞬時流量検出部で検出される瞬時流量を積算する流量積算部と、前記流量積算部で積算される積算流量値を所定時間毎に記憶する記憶部と、所定の情報を表示する表示部と、前記表示部の表示内容を変更する操作部とを備え、前記操作部で１日当たりの使用湯量表示状態が設定されると、前記表示部は当日１日分の積算流量値と、前日１日分の積算流量値とを表示するようにした貯湯式温水器とすることにより、表示部で当日と前日の湯の使用量を把握することができるので、日々における湯の使用量削減の目安にすることができ、無駄な湯の使用を防止することができる。
【０００９】
第２の発明は、特に、第１の発明において、表示部が当日１日分の積算流量値と、前日１日分の積算流量値とを表示することに代え、操作部で時間帯別の使用湯量表示状態が設定されると、表示部は当日内の１時間あたりの積算流量値を時刻別に表示するようにしたことにより、表示部で湯の使用用途と使用量が把握することができ、どこで湯が無駄に使用されているかを把握することができ、無駄な湯の使用を防止することができる。
【００１０】
第３の発明は、特に、第２の発明において、時間帯別の使用湯量表示は、棒グラフ表示で表示するようにしたことにより、棒グラフ表示により一日の湯の使用パターンが一目で把握することができ、無駄な湯の使用を防止することができる。
【００１１】
第４の発明は、特に、第１の発明において、瞬時流量検出部で所定流量以上を検出すると、表示部に当日１日分の積算流量値を表示し、前記瞬時流量検出部の検出流量が所定流量以下になっても所定時間が経過するまでは積算流量値の表示を継続するおとにより、湯の使用中に使用湯量の増加を把握することができるので、湯の無駄使いを行わないよう注意喚起をすることができる。
【００１２】
以下、本発明の実施の形態について、図面を参照しながら説明する。なお、この実施の形態によって本発明が限定されるものではない。
【００１３】
（実施の形態）
図１は、本発明の実施の形態における貯湯式温水器を示すものである。
【００１４】
図に示すように、貯湯タンク１の上部には出湯管２を、貯湯タンク１の下部には給水管３を有している。加熱部４は電気ヒーターまたはヒートポンプサイクルを利用した加熱機で構成され、貯湯タンク１内部の水を沸き上げる。家屋内の水道蛇口の温水側配管と出湯管２が接続されており、いずれかの蛇口を開くと、出湯管２に接続された瞬時流量検出部５は出湯されている間の瞬時流量値を検出する。流量積算部６は瞬時流量検出部５が検出した瞬時流量値を積算し、積算流量値をカウントする。記憶部７は流量積算部６で積算した流量積算値を１時間当たりの積算値を時刻毎に記憶すると共に、１日当たりの積算値を前日分と当日分と記憶する。表示部８は通常は機器の運転状態を表示するが、操作部９を操作することにより各種情報の表示に切り替えることができる。
【００１５】
操作部９を「１日当たりの使用湯量表示モード」に設定すると、記憶部７に記憶された情報に基づき、図２に第１の表示例を示すように、前日の１日分の使用湯量と、当日１日分の使用湯量が表示される。この表示を確認することで、前日からの湯の使用量の増減を把握することができる。
【００１６】
また、操作部９を「当日内の使用湯量表示モード」に設定すると、記憶部７に記憶された情報に基づき、図３に第２の表示例を示すように、当日の１時間毎の使用湯量が棒グラフ表示される。時刻別の使用湯量が確認できるので、いつ、何に湯を使用したのかを把握することができる。
【００１７】
操作部９を操作しない場合でも、蛇口が開かれ、出湯管２から湯が出湯されたことを瞬時流量検出部５が検出すると、記憶部７に記憶された情報に基づき、図４に第３の表示例を示すように、表示部８に現時点での当日の使用湯量積算値が自動的に表示される。蛇口を閉じた後も１０分間は表示を継続する。これにより、湯の使用中に使用湯量積算値が増えていくのを確認することができる。
【００１８】
以上のように、本実施の形態によれば、表示部８に前日の１日分の使用湯量と、当日１日分の使用湯量が表示されるので、日々の使用湯量を把握することができ、湯の節約を意識することができる。前日の使用湯量からの増減が確認できるので、節約効果の有無を確認することができる。
【００１９】
また、表示部８に当日の１時間毎の使用湯量が棒グラフ表示されるので、一日の使用湯量を削減する上で、どの行動においてどのように湯を節約すればよいか目標を立てることができる。具体的に目標を立てることにより、確実に湯を節約することができる。
【００２０】
また、湯の使用中に表示部８に現時点での当日の使用湯量積算値が自動的に表示されるので、使用湯量積算値を強制的に把握させることができる。湯を使っているときに使用湯量積算値が増えていくのを目の当たりにすることで、シャワーの出しっぱなしなど、湯の無駄使いを防ぐことができる。
【００２１】
これらの作用により湯の節約が図られ、湯切れすることがない上に、水道代と光熱費を削減できる使い勝手のよい貯湯式給湯器を実現することができる。
【産業上の利用可能性】
【００２２】
以上のように、本発明にかかる貯湯式温水器は、表示部を確認することで、無駄な湯の使用を防止することができるので、沸き上げに時間がかかる電気を熱源とした貯湯式温水器に有用であり、その他石油やガスを熱源とした貯湯式温水器にも適用できる。
【図面の簡単な説明】
【００２３】
【図１】本発明の実施の形態における貯湯式温水器の構成図
【図２】同貯湯式温水器による第１の表示例を示す図
【図３】同貯湯式温水器による第２の表示例を示す図
【図４】同貯湯式温水器による第３の表示例を示す図
【符号の説明】
【００２４】
１  貯湯タンク
２  出湯管
３  給水管
４  加熱部
５  瞬時流量検出部
６  流量積算部
７  記憶部
８  表示部
９  操作部
【図１】
2006112694.tif 000003
【図２】
2006112694.tif 000004
【図３】
2006112694.tif 000005
【図４】
2006112694.tif 000006